(57)【要約】【課題】プラズマディスプレイパネルの駆動方法において、書込み動作における放電不良を防止することを目的とする。【解決手段】１フィールド期間を複数のサブフィールドにより構成するとともに、そのサブフィールドに初期化動作を行う初期化期間と、書込み動作を行う書込み期間と、走査電極及び維持電極に維持パルスを印加して維持放電を行う維持期間を備えたプラズマディスプレイパネルの駆動方法において、複数の走査電極を、連続する複数の走査電極群を１単位として複数単位の走査電極群に分割し、各単位の走査電極群は、走査電極に初期化パルスを印加して初期化動作を行い、その後走査電極の奇数ラインまたは偶数ラインのうち一方のラインの書込み動作を行った後、他方のラインの書込み動作を行うように構成し、かつ走査電極群単位に順次初期化動作及び書込み動作を行うように構成した。【選択図】図４
2009192590.tif 000002
【特許請求の範囲】
【請求項１】
走査電極と維持電極とからなる複数の表示電極及びこの表示電極と直交する方向に配置した複数のデータ電極を有するプラズマディスプレイパネルを駆動するために、１フィールド期間を複数のサブフィールドにより構成するとともに、そのサブフィールドに前記表示電極に初期化パルスを印加して初期化動作を行う初期化期間と、前記走査電極に走査パルスを印加するとともに前記データ電極に書込みパルスを印加して書込み動作を行う書込み期間と、前記走査電極及び前記維持電極に維持パルスを印加して維持放電を行う維持期間を備えたプラズマディスプレイパネルの駆動方法において、前記複数の走査電極を、連続する複数の走査電極群を１単位として複数単位の走査電極群に分割し、前記複数のサブフィールドのうち少なくとも１つのサブフィールドにおいて、各単位の走査電極群は、走査電極に初期化パルスを印加して初期化動作を行い、その後走査電極の奇数ラインまたは偶数ラインのうち一方のラインの書込み動作を行った後、他方のラインの書込み動作を行うように構成し、かつ走査電極群単位に順次初期化動作及び書込み動作を行うように構成したことを特徴とするプラズマディスプレイパネルの駆動方法。
【請求項２】
複数の走査電極それぞれが接続されかつ走査電極への電圧の印加を制御する複数のドライバ回路を備え、そのドライバ回路ごとに複数の走査電極群を１単位として複数単位に分割したことを特徴とする請求項１に記載のプラズマディスプレイパネルの駆動方法。
【発明の詳細な説明】
【技術分野】
【０００１】
本発明は、壁掛けテレビや大型モニター等に用いられるプラズマディスプレイパネルの駆動方法に関する。
【背景技術】
【０００２】
プラズマディスプレイパネルとして代表的な交流面放電型パネルは、対向配置された前面板と背面板との間に多数の放電セルを備える。
【０００３】
前面板は、１対の走査電極と維持電極とからなる表示電極が前面ガラス基板上に互いに平行に複数対形成され、それらの表示電極を覆うように誘電体層及び保護層が形成されている。背面板は、背面ガラス基板上に複数の平行なデータ電極と、それらを覆うように誘電体層と、さらにその上にデータ電極と平行に形成された複数の縦隔壁と、この縦隔壁と交差し、表示電極と平行に形成された複数の横隔壁とで格子状の隔壁を構成している。そして、この格子状の隔壁の側面と誘電体層の表面とに蛍光体層が形成され、表示電極とデータ電極とが立体交差するように前面板と背面板とが対向配置されて密封され、格子状の隔壁で放電空間が形成され、放電空間内部にはキセノンを含む放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
このような構成のパネルを駆動する方法としては、サブフィールド法が用いられている（例えば、特許文献１参照）。サブフィールド法では、１フィールド期間が複数のサブフィールドに分割され、それぞれのサブフィールドで各放電セルを発光または非発光させることにより階調表示が行われる。各サブフィールドは、初期化期間、書込み期間及び維持期間を有する。
【０００５】
初期化期間においては、各走査電極に初期化パルスが印加され、各放電セルで初期化放電が行われる。それにより、各放電セルにおいて、続く書込み動作のために必要な壁電荷が形成される。
【０００６】
書込み期間では、走査電極に順次走査パルスを印加するとともに、データ電極には表示すべき画素信号に対応したデータパルスを印加する。それにより、走査電極とデータ電極との間で選択的に書込み放電が発生し、選択的な壁電荷形成が行われる。
【０００７】
続く維持期間では、表示させるべき輝度に応じた所定の回数の維持パルスを走査電極と維持電極との間に印加する。それにより、書込み放電による壁電荷形成が行われた放電セルで選択的に放電が起こり、その放電セルが発光する。
【特許文献１】特開２００６−１８２９８号公報
【発明の開示】
【発明が解決しようとする課題】
【０００８】
ところで、上述したように、書込み期間においては、複数の走査電極に走査パルスが順次印加される。したがって、複数の放電セルのうち走査パルスが印加される順番が遅い放電セルにおいては、初期化パルスが印加されてから走査パルスが印加されるまでの間の時間が長くなる。
【０００９】
ここで、初期化放電によって放電セルに形成された壁電荷は、他の放電セルに書込み放電を発生させるためにデータ電極に印加されるデータパルスの影響を受けて徐々に減少する。そのため、走査パルスが印加される順番が遅い放電セルにおいては、その放電セルに走査パルス及びデータパルスが印加されるまでに壁電荷が減少し、書込み動作において書込み放電不良が発生し、書込み動作を十分に実施できない場合がある。
【００１０】
本発明はこのような課題に鑑みなされたもので、プラズマディスプレイパネルの駆動方法において、書込み動作における放電不良を防止することを目的とするものである。
【課題を解決するための手段】
【００１１】
この課題を解決するために本発明は、走査電極と維持電極とからなる複数の表示電極及びこの表示電極と直交する方向に配置した複数のデータ電極を有するプラズマディスプレイパネルを駆動するために、１フィールド期間を複数のサブフィールドにより構成するとともに、そのサブフィールドに前記表示電極に初期化パルスを印加して初期化動作を行う初期化期間と、前記走査電極に走査パルスを印加するとともに前記データ電極に書込みパルスを印加して書込み動作を行う書込み期間と、前記走査電極及び前記維持電極に維持パルスを印加して維持放電を行う維持期間を備えたプラズマディスプレイパネルの駆動方法において、前記複数の走査電極を、連続する複数の走査電極群を１単位として複数単位の走査電極群に分割し、前記複数のサブフィールドのうち少なくとも１つのサブフィールドにおいて、各単位の走査電極群は、走査電極に初期化パルスを印加して初期化動作を行い、その後走査電極の奇数ラインまたは偶数ラインのうち一方のラインの書込み動作を行った後、他方のラインの書込み動作を行うように構成し、かつ走査電極群単位に順次初期化動作及び書込み動作を行うように構成したものである。
【発明の効果】
【００１２】
本発明のプラズマディスプレイパネルの駆動方法によれば、飛び越し走査により書込み電力を抑制することができ、また複数の走査電極を、連続する複数の走査電極群を１単位として複数単位の走査電極群に分割し、書込み動作が行われる順番が遅い走査電極群の初期化放電を書込み動作を行う直前に行うことにより書込み放電不良を防止することができ、しかも隣接する走査電極間で駆動波形が互い違いになることがなく、連続する複数の走査電極が同様の駆動波形となるため、複雑な制御を必要としないという効果が得られる。
【発明を実施するための最良の形態】
【００１３】
以下、本発明の実施の形態に係るプラズマディスプレイパネルの駆動方法について、図面を用いて説明する。
【００１４】
図１は、本発明の実施の形態に係るプラズマディスプレイ装置におけるプラズマディスプレイパネルの一部を示す分解斜視図である。
【００１５】
プラズマディスプレイパネル（以下パネルという）１０は、互いに対向配置されたガラス製の前面基板２１及び背面基板３１を備え、前面基板２１と背面基板３１の間に放電空間が形成されている。
【００１６】
前面基板２１には、表示電極を構成する複数対の走査電極２２及び維持電極２３が互いに平行に形成されている。それらの走査電極２２及び維持電極２３を覆うように誘電体層２４が形成され、誘電体層２４上には保護層２５が形成されている。
【００１７】
背面基板３１には、絶縁体層３３で覆われた複数のデータ電極３２が設けられ、そして絶縁体層３３上には井桁状の隔壁３４が設けられている。また、絶縁体層３３の表面及び隔壁３４の側面に蛍光体層３５が設けられている。
【００１８】
そして、複数対の走査電極２２及び維持電極２３と複数のデータ電極３２とが直交するように前面基板２１と背面基板３１とが対向配置され、前面基板２１と背面基板３１との間の放電空間には、放電ガスとして、例えばネオンとキセノンとの混合ガスが封入されている。なお、パネルの構造は上述したものに限られず、例えばストライプ状の隔壁を備えた構造を用いてもよい。
【００１９】
図２はパネルの電極配列図である。行方向に沿ってｎ本の走査電極ＳＣ１〜ＳＣｎ（図１の走査電極２２）及びｎ本の維持電極ＳＵ１〜ＳＵｎ（図１の維持電極２３）が配列され、列方向に沿ってｍ本のデータ電極Ｄ１〜Ｄｍ（図１のデータ電極３２）が配列されている。そして、１対の走査電極ＳＣｉ（ｉ＝１〜ｎ）及び維持電極ＳＵｉ（ｉ＝１〜ｎ）と１つのデータ電極Ｄｊ（ｊ＝１〜ｍ）とが交差した部分に放電セルＤＣが形成されている。それにより、放電空間内にｍ×ｎ個の放電セルが形成されている。
【００２０】
図３は本発明の実施の形態に係るプラズマディスプレイ装置の回路ブロック図である。このプラズマディスプレイ装置は、パネル１０、画像信号処理回路５１、データ電極駆動回路５２、複数の走査電極それぞれが接続されかつ走査電極への電圧の印加を制御する複数のドライバ回路（図示せず）を備えた走査電極駆動回路５３、維持電極駆動回路５４、タイミング発生回路５５及び電源回路（図示せず）を備える。
【００２１】
画像信号処理回路５１は、画像信号ｓｉｇをパネル１０の画素数に応じた画像データに変換し、各画素の画像データを複数のサブフィールド（以下ＳＦという）に対応する複数のビットに分割し、それらをデータ電極駆動回路５２に出力する。
【００２２】
データ電極駆動回路５２は、ＳＦ毎の画像データを各データ電極Ｄ１〜Ｄｍに対応する信号に変換し、その信号に基づいて各データ電極Ｄ１〜Ｄｍを駆動する。
【００２３】
タイミング発生回路５５は、水平同期信号Ｈ及び垂直同期信号Ｖに基づいてタイミング信号を発生し、それらのタイミング信号をそれぞれの駆動回路ブロック（画像信号処理回路５１、データ電極駆動回路５２、走査電極駆動回路５３及び維持電極駆動回路５４）へ供給する。
【００２４】
走査電極駆動回路５３は、タイミング信号に基づいて走査電極ＳＣ１〜ＳＣｎに駆動電圧波形（以下、駆動波形と略記する）を供給し、維持電極駆動回路５４はタイミング信号に基づいて維持電極ＳＵ１〜ＳＵｎに駆動波形を供給する。
【００２５】
ここで、本実施の形態においては、走査電極ＳＣ１〜ＳＣｎについて、連続する複数の走査電極ＳＣ１，ＳＣ２，ＳＣ３，…，ＳＣｎ／２を第１の走査電極群、次に連続する走査電極ＳＣｎ／２＋１，ＳＣｎ／２＋２，ＳＣｎ／２＋３，…，ＳＣｎを第２の走査電極群として、複数単位の走査電極群に分割しており、また走査電極駆動回路５３は、第１の走査電極群に対して第１の駆動波形を供給し、第２の走査電極群に対して第２の駆動波形を供給するように構成されている。なお、以降の説明において、上記第１の走査電極群により構成される複数の放電セルを第１の放電セル群と称し、上記第２の走査電極群により構成される複数の放電セルを第１の放電セル群と称する。
【００２６】
次に、上述の第１の駆動波形について第１の走査電極群に属する走査電極ＳＣ１を、第２の駆動波形を第２の走査電極群に属する走査電極ＳＣｎ／２＋１をそれぞれ例に挙げて説明する。
【００２７】
図４は、図３のプラズマディスプレイ装置のＳＦ構成における駆動波形図である。
【００２８】
図４には、第１の走査電極群の１本の走査電極ＳＣ１、第２の走査電極群の１本の走査電極ＳＣｎ／２＋１、維持電極ＳＵ１〜ＳＵｎ、及びデータ電極Ｄ１〜Ｄｍの駆動波形を示している。なお、図４には、１フィールドのうち第１ＳＦの初期化期間から第２ＳＦの維持期間までが示される。
【００２９】
図４において、第１ＳＦの初期化期間の前半部では、データ電極Ｄ１〜Ｄｍの電位をＶｄａに保持し、維持電極ＳＵ１〜ＳＵｎを０Ｖ（接地電位）に保持し、走査電極ＳＣ１〜ＳＣｎにランプ波形Ｌ１を印加する。
【００３０】
このランプ波形Ｌ１は、放電開始電圧以下の正の電位Ｖｓｃｎから放電開始電圧を超える正の電位（Ｖｓｕｓ＋Ｖｓｅｔ）に向かって緩やかに上昇する。すると、全ての放電セルにおいて１回目の微弱な初期化放電が起こり、走査電極ＳＣ１〜ＳＣｎ上に負の壁電荷が蓄えられるとともに、維持電極ＳＵ１〜ＳＵｎ上及びデータ電極Ｄ１〜Ｄｍ上に正の壁電荷が蓄えられる。ここで、電極を覆う誘電体層または蛍光体層上等に蓄積した壁電荷により生じる電圧を電極上の壁電圧という。
【００３１】
続く初期化期間の後半部では、データ電極Ｄ１〜Ｄｍを接地電位に保持し、維持電極ＳＵ１〜ＳＵｎを正の電位Ｖｅ１に保持し、第１の走査電極群（走査電極ＳＣ１〜ＳＣｎ／２）に正の電位（Ｖｓｕｓ）から負の電位（−Ｖａｄ＋Ｖｓｅｔ２）に向かって緩やかに下降するランプ波形Ｌ２を印加する。すると第１の放電セル群において２回目の微弱な初期化放電が起こる。これにより、走査電極ＳＣｉ上の壁電圧及び維持電極ＳＵｉ上の壁電圧が弱められ、データ電極Ｄｊ上の壁電圧も書込み動作に適した値に調整される。
【００３２】
一方、第２の走査電極群（走査電極ＳＣｎ／２＋１〜ＳＣｎ）には、正の電位（Ｖｓｕｓ）から負の電位（−Ｖａｄ＋Ｖｈｉｚ）に向かって緩やかに下降するランプ波形Ｌ３を印加する。ここで、初期化期間の後半部において第２の走査電極群に印加されるランプ波形Ｌ３は、第１の走査電極群に印加されるランプ波形Ｌ２よりも高い電圧に緩やかに向かって下降する。それにより、第２の放電セル群においては、書込み動作に適した壁電荷に調整される前に２回目の初期化放電が終了する。
【００３３】
第１ＳＦの書込み期間の前半部では、維持電極ＳＵ１〜ＳＵｎを一旦電位Ｖｅ２に保持し、走査電極ＳＣ１〜ＳＣｎを一旦電位（−Ｖａｄ＋Ｖｓｃｎ）に保持する。ここで、まず第１の走査電極群の書込み動作について説明する。
【００３４】
１行目の走査電極ＳＣ１に負の走査パルスＰａ（＝−Ｖａｄ）を印加するとともに、データ電極Ｄ１〜Ｄｍのうち１行目において発光すべき放電セルのデータ電極Ｄｋ（ｋは１〜ｍのいずれか）に正の書込みパルスＰｄ（＝Ｖｄａ）を印加する。すると、データ電極Ｄｋと走査電極ＳＣ１との交差部の電圧は、外部印加電圧（Ｐｄ−Ｐａ）にデータ電極Ｄｋ上の壁電圧及び走査電極ＳＣ１上の壁電圧が加算された値となり、放電開始電圧を超える。それにより、データ電極Ｄｋと走査電極ＳＣ１との間及び維持電極ＳＵ１と走査電極ＳＣ１との間で書込み放電が発生する。その結果、その放電セルの走査電極ＳＣ１上に正の壁電荷が蓄積され、維持電極ＳＵ１上に負の壁電荷が蓄積され、データ電極Ｄｋ上にも負の壁電荷が蓄積される。
【００３５】
このようにして、１行目において発光すべき放電セルで書込み放電が発生して各電極上に壁電荷を蓄積させる書込み動作が行われる。一方、書込みパルスＰｄが印加されなかったデータ電極Ｄｈ（ｈ≠ｋ）と走査電極ＳＣ１との交差部の電圧は放電開始電圧を超えないので、書込み放電は発生しない。
【００３６】
上記走査電極ＳＣ１の書込み動作後、続く第１の走査電極群に属する奇数ラインの走査電極ＳＣ３、ＳＣ５、…、ＳＣｎ／２−１まで上記書込み動作を順次行った後、第１の走査電極群に属する偶数ラインの走査電極ＳＣ２、ＳＣ４、…、ＳＣｎ／２までの上記書込み動作を順次行い、第１の放電セル群の書込み動作が完了する。
【００３７】
なお、第１の走査電極群の書込み期間の後半では、維持電極ＳＵ１〜ＳＵｎが電位Ｖｅ１に保持され、全ての走査電極ＳＣ１〜ＳＣｎに接地電位から負の電位（−Ｖａｄ＋Ｖｓｅｔ２）に向かって緩やかに下降するランプ波形Ｌ４が印加されるが、これは以降で詳述する第２の走査電極群の初期化動作に伴うものであり、第１の走査電極群の書込み動作に影響を与えない。
【００３８】
ここで、第１の走査電極群に走査パルスＰａが印加される期間には、第２の走査電極群には走査パルスＰａが印加されない。この期間において、第２の放電セル群の壁電荷は減少する。しかしながら、上述したように、第２の放電セル群においては初期化期間において２回目の微弱な初期化放電が書込み動作に適した壁電荷になる前に停止している。そのため、初期化期間が終了した時点においては、第２の放電セル群には第１の放電セル群より十分多い壁電荷が保持されている。したがって、上記の期間において、第２の放電セル群の壁電荷が減少しても、第２の放電セル群にはまだ十分な量の壁電荷が保持されている。
【００３９】
そこで、本実施の形態においては、第２の走査電極群に走査パルスＰａを印加する直前に、走査電極ＳＣ１〜ＳＣｎに接地電位から負の電位（−Ｖａｄ＋Ｖｓｅｔ２）に向かって緩やかに下降するランプ波形Ｌ４を印加する。すると、第２の放電セル群において２回目の微弱な初期化放電の続きとも言える第３の初期化放電が起こる。これにより、第２の放電セル群において、走査電極ＳＣｉ上の壁電圧及び維持電極ＳＵｉの壁電圧が弱められ、データ電極Ｄｋ上の壁電圧も書込み動作に適した値に調整される。
【００４０】
すなわち、本実施の形態においては、第１ＳＦの初期化期間において第１の放電セル群に属する全ての放電セルの初期化動作（第１の放電セル群の全セル初期化動作）が行われ、第１ＳＦの初期化期間及び書込み期間において第２の放電セル群に属する全ての放電セルの初期化動作（第２の放電セル群の全セル初期化動作）が行われることとなる。
【００４１】
次に第２の放電セル群の書込み動作について説明する。
【００４２】
第１ＳＦの書込み期間の後半部（上記ランプ波形Ｌ４の印加後）では、維持電極ＳＵ１〜ＳＵｎを再び電位Ｖｅ２に保持し、走査電極ＳＣ１〜ＳＣｎを一旦電位（−Ｖａｄ＋Ｖｓｃｎ）に保持する。次に、第２の走査電極群の奇数ラインであるｎ／２＋１行目の走査電極ＳＣｎ／２＋１に負の走査パルスＰａを印加するとともに、データ電極Ｄ１〜Ｄｍのうちｎ／２＋１行目において発光すべき放電セルのデータ電極Ｄｋに正の書込みパルスＰｄを印加する。すると、データ電極Ｄｋと走査電極ＳＣｎ／２＋１との交差部の電圧は、放電開始電圧を超える。それにより、データ電極Ｄｋと走査電極ＳＣｎ／２＋１との間及び維持電極ＳＵｎ／２＋１と走査電極ＳＣｎ／２＋１との間で書込み放電が発生する。その放電セルの走査電極ＳＣｎ／２＋１上に正の壁電荷が蓄積され、維持電極ＳＣｎ／２＋１上に負の壁電荷が蓄積され、データ電極Ｄｋ上にも負の壁電荷が蓄積される。
【００４３】
このようにして、ｎ／２＋１行目において発光すべき放電セルで書込み放電が発生して各電極上に壁電荷を蓄積させる書込み動作が行われる。一方、書込みパルスＰｄが印加されなかったデータ電極Ｄｈと走査電極ＳＣｎ／２＋１との交差部の電圧は放電開始電圧を超えないので、書込み放電は発生しない。
【００４４】
上記ＳＣｎ／２＋１の書込み動作後、続く第２走査電極群に属する奇数ラインの走査電極ＳＣｎ／２＋３、ＳＣｎ／２＋５、…、ＳＣｎ−１まで上記書込み動作を順次行った後、第２走査電極群に属する偶数ラインの走査電極ＳＣｎ／２＋２、ＳＣｎ／２＋４、…、ＳＣｎまでの上記書込み動作を順次行い、第２の放電セル群の書込み動作が完了する。
【００４５】
続く維持期間では、維持電極ＳＵ１〜ＳＵｎを接地電位に戻し、走査電極ＳＣ１〜ＳＣｎに維持期間の最初の維持パルスＰｓ（＝Ｖｓｕｓ）を印加する。このとき、書込み期間で書込み放電が発生した放電セルにおいては、走査電極ＳＣｉと維持電極ＳＵｉとの間の電圧は、維持パルスＰｓに走査電極ＳＣｉ上の壁電圧及び維持電極ＳＵｉ上の壁電圧が加算された値となり、放電開始電圧を超える。それにより、走査電極ＳＣｉと維持電極ＳＵｉとの間で維持放電が起こり、放電セルが発光する。その結果、走査電極ＳＣｉ上に負の壁電荷が蓄積され、維持電極ＳＵｉ上に正の壁電荷が蓄積され、データ電極Ｄｋ上に正の壁電荷が蓄積される。
【００４６】
以降同様に、走査電極ＳＣ１〜ＳＣｎと維持電極ＳＵ１〜ＳＵｎとにあらかじめ定められた数の維持パルスＰｓを交互に印加することにより、書込み期間において書込み放電が発生した放電セルでは維持放電が継続して行われる。
【００４７】
維持パルスＰｓの印加後、維持電極ＳＵｉ及びデータ電極Ｄｋを接地電位に保持した状態で、走査電極ＳＣｉにランプ波形Ｌ５を印加する。このランプ波形Ｌ５は、接地電位からの正の電位Ｖｅｒａｓｅに向かって緩やかに上昇する。これにより、維持放電が起こった放電セルにおいて、走査電極ＳＣｉと維持電極ＳＵｉとの間の電圧が放電開始電圧を超え、維持電極ＳＵｉと走査電極ＳＣｉとの間で微弱な消去放電が発生する。
【００４８】
その結果、走査電極ＳＣｉに負の壁電荷が蓄積され、維持電極ＳＵｉに正の壁電荷が蓄積される。このとき、データ電極Ｄｋ上には正の壁電荷が蓄積される。その後、走査電極ＳＣｉを接地電位に戻し、維持期間における維持動作を終了する。
【００４９】
第２ＳＦの初期化期間では、維持電極ＳＵ１〜ＳＵｎを電位Ｖｅ１に保持し、データ電極Ｄ１〜Ｄｍを接地電位に保持し、第１の走査電極群（走査電極ＳＣ１，ＳＣ２，…，ＳＣｎ／２）に接地電位からの負の電位（−Ｖａｄ＋Ｖｓｅｔ３）に向かって緩やかに下降するランプ波形Ｌ６を印加する。すると、第１の放電セル群のうち、前のＳＦで（図４では第１ＳＦ）の維持期間で維持放電が起こった放電セルでは微弱な初期化放電が発生する。それにより、第１の放電セル群のうち前のＳＦで維持放電が起こった放電セルにおいて、走査電極ＳＣｉ上の壁電圧及び維持電極ＳＵｉ上の壁電圧が弱められ、データ電極Ｄｋ上の壁電圧も書込み動作に適した値に調整される。
【００５０】
前のＳＦで維持放電が起こらなかった放電セルにおいては、放電が発生することはなく、前のＳＦの初期化期間の終了時における壁電荷の状態がそのままに保たれる。
【００５１】
一方、第２の走査電極群（走査電極ＳＣｎ／２＋１，ＳＣｎ／２＋２，…，ＳＣｎ）には、接地電位からの負の電位（−Ｖａｄ＋Ｖｈｉｚ）に向かって緩やかに下降するランプ波形Ｌ７を印加する。このとき、第２の放電セル群のうち前のＳＦで維持放電が起こった放電セルでは微弱な初期化放電が発生するが、第１の走査電極群に印加されるランプ波形Ｌ６よりも高い電圧に緩やかに向かって下降するため、第２の放電セル群においては、書込み動作に適した壁電荷に調整される前にランプ波形Ｌ７による初期化放電が終了する。
前のＳＦで維持放電が起こらなかった放電セルにおいては、放電が発生することはなく、前のＳＦの初期化期間の終了時における壁電荷の状態がそのままに保たれる。
【００５２】
したがって、第２の放電セル群に蓄積されている壁電荷の量は、第１の放電セル群に蓄積されている壁電荷の量に比べて十分に多い。
【００５３】
第２ＳＦの書込み期間においては、維持電極ＳＵ１〜ＳＵｎ及びデータ電極Ｄ１〜Ｄｍに対して第１ＳＦの書込み期間と同様の駆動波形を供給する。
【００５４】
この場合、第１ＳＦと同様に、第２ＳＦの書込み期間において第１の走査電極群に走査パルスＰａが印加される期間には、第２の走査電極群には走査パルスＰａが印加されない。この期間において、第２の放電セル群の壁電荷は減少する。しかしながら、上述したように、第２の放電セル群には第２ＳＦの初期化期間終了時に十分な量の壁電荷が保持されている。従って上記の期間においてそれらの放電セルの壁電荷が減少しても、それらの放電セルにはまだ十分な量の壁電荷が保持されている。
【００５５】
そこで、第２の走査電極群に走査パルスＰａを印加する直前に、走査電極ＳＣ１〜ＳＣｎに接地電位から負の電位（−Ｖａｄ＋Ｖｓｅｔ４）に向かって緩やかに下降するランプ波形Ｌ８を印加する。すると、第２の放電セル群のうち前のＳＦで維持放電が起こった放電セルにおいてランプ波形Ｌ７の微弱な初期化放電の続きとも言える初期化放電が起こる。これにより、第２の放電セルのうち前のＳＦで維持放電が起こった放電セルにおいて、走査電極ＳＣｉ上の壁電圧及び維持電極ＳＵｉの壁電圧が弱められ、データ電極Ｄｋ上の壁電圧も書込み動作に適した値に調整される。
【００５６】
また、第２ＳＦにおける書込み動作を行う順序も第１ＳＦと同様の順序となる。
【００５７】
つまり、第１の走査電極群における奇数ラインの書込み動作を行い、次いで偶数ラインの書込み動作を行う。第１の走査電極群の書込み動作が完了した後、順次第２の走査電極群における奇数ラインの書込み動作を行い、次いで偶数ラインの書込み動作を行い、第２ＳＦの書込み期間を終える。
【００５８】
なお、第２ＳＦの維持期間においては、第１ＳＦの維持期間と同様に、走査電極ＳＣ１〜ＳＣｎと維持電極ＳＵ１〜ＳＵｎとにあらかじめ定められら数の維持パルスＰｓを交互に印加する。それにより、書込み期間において書込み放電が発生した放電セルで維持放電が行われる。
【００５９】
また、第３ＳＦ以降のＳＦでは、第１の走査電極群、第２の走査電極群、維持電極ＳＵ１〜ＳＵｎ及びデータ電極Ｄ１〜Ｄｍに対して第２ＳＦと同様の駆動波形を供給する。
【００６０】
また、書込み動作を行う順序においても、第１ＳＦ及び第２ＳＦと同様の順序となる。つまり、第１の走査電極群における奇数ラインの書込み動作を行い、次いで偶数ラインの書込み動作を行う。第１の走査電極群の書込み動作が完了した後、第２の走査電極群における奇数ラインの書込み動作を行い、次いで偶数ラインの書込み動作を行い、そのＳＦの書込み期間を終える。
【００６１】
以上のように、本発明においては、連続する複数の走査電極群を１単位として、第１の走査電極群、第２の走査電極群のように複数単位の走査電極群に分割し、そして各単位の第１の走査電極群、第２の走査電極群は、走査電極に初期化パルスを印加して初期化動作を行い、その後走査電極の奇数ラインまたは偶数ラインのうち一方のラインの書込み動作を行った後、他方のラインの書込み動作を行うように構成し、かつ第１の走査電極群、第２の走査電極群単位に順次初期化動作及び書込み動作を行うように構成したものである。このような構成により、第１の走査電極群に分類された連続する複数の走査電極は、隣接する走査電極間で全て同様の駆動波形となり、また第２の走査電極群に分類された連続する複数の走査電極も、隣接する走査電極間で同様の駆動波形となり、走査電極駆動回路の構成が複雑化することがない。
【００６２】
また、上述したように、書込み動作が行われる順番が早い第１の走査電極群は、通常通り初期化放電を経て書込み動作を順次行い、そして書込み動作が行われる順番が遅い第２の走査電極群は、書込み動作が行われる直前に初期化放電を別途行うように構成する、すなわち走査電極を書込み動作が行われる順番により分割し、初期化放電を行うタイミングが異なる駆動波形を印加することにより、走査パルスが印加される順番が遅い走査電極群においても、初期化放電を行ってから壁電荷が減少する時間が短くなるため、書込み放電不良が発生するのを防止することができる。
【００６３】
さらに、プラズマディスプレイ装置の書込み期間での書込み電力の大部分を占める、変位電流による消費電力は下記の数式で示される。
【００６４】
Ｐ＝ＩＶ＝ＣＶ2ｆ
ここで、Ｉは電流、Ｖはデータ電極に印加されるデータパルスの電圧、Ｃは隣接する電極との間の静電容量、ｆは周波数で、パネルのデータ電極への電圧印加を制御するデータドライバーの半導体装置（ＩＣ）の単位時間当たりの平均スイッチング回数である。
【００６５】
上記数式に示されるように、データドライバーのスイッチング回数を減らすことで書込み電力を低減することができる。
【００６６】
ところで、図５に示す表示パターンについて、走査電極ＳＣ１からＳＣｎへ順次書込み動作を行うと、１フィールド期間を分割したうちの１つのＳＦにおけるデータパルスのパターンは図６に示すようになり、データパルスのＯＮ／ＯＦＦが繰り返されるため、データドライバーのスイッチング回数が多くなる。これにより消費電力は大きくなり、またデータドライバーの発熱量も大きくなる。
【００６７】
これに対し、本発明においては、図５に示す表示パターンについて、走査電極を奇数ラインと偶数ラインとに分割し、偶数ラインまたは奇数ラインのうち一方のみに順次書込み動作を行った後、他方のラインの書込み動作を順次行う、いわゆる飛び越し走査における１フィールド期間を分割したうちの１つのＳＦにおけるデータパルスのパターンは図７に示すようになり、飛び越し走査によりデータパルスのＯＮ／ＯＦＦの繰り返しはなく、ＯＮもしくはＯＦＦの状態が続き、データドライバーのスイッチング回数が低減され、書込み電力を抑制することができる。
【００６８】
次に、本発明の他の実施の形態による駆動方法について、図８に示す駆動波形図を用いて説明する。なお、パネルの構成、パネルの電極配列、回路ブロックの構成は、図１〜図３に示したものと同様である。
【００６９】
本実施の形態においては、走査電極ＳＣ１〜ＳＣｎについて、走査電極ＳＣ１，ＳＣ２，ＳＣ３，…，ＳＣｎ／３を第１の走査電極群、走査電極ＳＣｎ／３＋１，ＳＣｎ／３＋２，ＳＣｎ／３＋３，…，ＳＣ２ｎ／３を第２の走査電極群、走査電極ＳＣ２ｎ／３＋１，ＳＣ２ｎ／３＋２，ＳＣ２ｎ／３＋３，…，ＳＣｎを第３の走査電極群として分割し、走査電極駆動回路５３は、第１の走査電極群に対して第１の駆動波形を供給し、第２の走査電極群に対して第２の駆動波形を供給し、第３の走査電極群に対して第３の駆動波形を供給するように構成している。また、上記第１の走査電極群により構成される複数の放電セルを第１の放電セル群と称し、上記第２の走査電極群により構成される複数の放電セルを第２の放電セル群と称し、上記第３の走査電極群により構成される複数の放電セルを第３の放電セル群と称する。
【００７０】
図８においては、第１の走査電極群の１本の走査電極ＳＣ１、第２の走査電極群の１本の走査電極ＳＣｎ／３＋１、第３の走査電極群の１本の走査電極ＳＣ２ｎ／３＋１、維持電極ＳＵ１〜ＳＵｎ、及びデータ電極Ｄ１〜Ｄｍの駆動波形を示している。なお、図８には、１フィールドの第１ＳＦの初期化期間から第２ＳＦの維持期間までを示している。
【００７１】
第１ＳＦの初期化期間の前半部では、データ電極Ｄ１〜Ｄｍの電位をＶｄａに保持し、維持電極ＳＵ１〜ＳＵｎを０Ｖ（接地電位）に保持し、走査電極ＳＣ１〜ＳＣｎにランプ波形Ｌ１を印加する。
【００７２】
このランプ波形Ｌ１は、放電開始電圧以下の正の電位Ｖｓｃｎから放電開始電圧を超える正の電位（Ｖｓｕｓ＋Ｖｓｅｔ）に向かって緩やかに上昇する。すると、全ての放電セルにおいて１回目の微弱な初期化放電が起こり、走査電極ＳＣ１〜ＳＣｎ上に負の壁電荷が蓄えられるとともに維持電極ＳＵ１〜ＳＵｎ上及びデータ電極Ｄ１〜Ｄｍ上に正の壁電荷が蓄えられる。ここで、電極を覆う誘電体層または蛍光体層上等に蓄積した壁電荷により生じる電圧を電極上の壁電圧という。
【００７３】
続く初期化期間の後半部では、データ電極Ｄ１〜Ｄｍを接地電位に保持し、維持電極ＳＵ１〜ＳＵｎを正の電位Ｖｅ１に保持し、第１の走査電極群（走査電極ＳＣ１〜ＳＣｎ／３）に正の電位（Ｖｓｕｓ）から負の電位（−Ｖａｄ＋Ｖｓｅｔ２）に向かって緩やかに下降するランプ波形Ｌ２を印加する。すると第１の放電セル群において２回目の微弱な初期化放電が起こる。これにより、走査電極ＳＣｉ上の壁電圧及び維持電極ＳＵｉ上の壁電圧が弱められ、データ電極Ｄｊ上の壁電圧も書込み動作に適した値に調整される。
【００７４】
一方、第２の走査電極群（走査電極ＳＣｎ／３＋１〜ＳＣ２ｎ／３）及び第３の走査電極群（走査電極ＳＣ２ｎ／３＋１〜ＳＣｎ）には、正の電位（Ｖｓｕｓ）から負の電位（−Ｖａｄ＋Ｖｈｉｚ）に向かって緩やかに下降するランプ波形Ｌ３を印加する。
【００７５】
ここで、初期化期間の後半部において第２の走査電極群及び第３の走査電極群に印加されるランプ波形Ｌ３は、第１の走査電極群に印加されるランプ波形Ｌ２よりも高い電圧に緩やかに向かって下降する。それにより、第２の放電セル群及び第３の放電セル群においては、書込み動作に適した壁電荷に調整される前に２回目の初期化放電が終了する。
【００７６】
第１ＳＦの書込み期間の前部では、維持電極ＳＵ１〜ＳＵｎを一旦電位Ｖｅ２に保持し、走査電極ＳＣ１〜ＳＣｎを一旦電位（−Ｖａｄ＋Ｖｓｃｎ）に保持する。
【００７７】
ここで、まず第１の走査電極群の書込み動作について説明する。
【００７８】
１行目の走査電極ＳＣ１に負の走査パルスＰａ（＝−Ｖａｄ）を印加するとともに、データ電極Ｄ１〜Ｄｍのうち１行目において発光すべき放電セルのデータ電極Ｄｋ（ｋは１〜ｍのいずれか）に正の書込みパルスＰｄ（＝Ｖｄａ）を印加する。すると、データ電極Ｄｋと走査電極ＳＣ１との交差部の電圧は、外部印加電圧（Ｐｄ−Ｐａ）にデータ電極Ｄｋ上の壁電圧及び走査電極ＳＣ１上の壁電圧が加算された値となり、放電開始電圧を超える。それにより、データ電極Ｄｋと走査電極ＳＣ１との間及び維持電極ＳＵ１と走査電極ＳＣ１との間で書込み放電が発生する。その結果、その放電セルの走査電極ＳＣ１上に正の壁電荷が蓄積され、維持電極ＳＵ１上に負の壁電荷が蓄積され、データ電極Ｄｋ上にも負の壁電荷が蓄積される。
【００７９】
このようにして、１行目において発光すべき放電セルで書込み放電が発生して各電極上に壁電荷を蓄積させる書込み動作が行われる。一方、書込みパルスＰｄが印加されなかったデータ電極Ｄｈ（ｈ≠ｋ）と走査電極ＳＣ１との交差部の電圧は放電開始電圧を超えないので、書込み放電は発生しない。
【００８０】
上記走査電極ＳＣ１の書込み動作後、続く第１の走査電極群に属する奇数ラインの走査電極ＳＣ３、ＳＣ５、…、ＳＣｎ／３−１まで上記書込み動作を順次行った後、第１の走査電極群に属する偶数ラインの走査電極ＳＣ２、ＳＣ４、…、ＳＣｎ／３までの上記書込み動作を順次行い、第１の放電セル群の書込み動作が完了する。
【００８１】
ここで、第１の走査電極群に走査パルスＰａが印加される期間には、第２の走査電極群及び第３の走査電極群には走査パルスＰａが印加されない。この期間において、第２の放電セル群及び第３走査電極群の壁電荷は減少する。しかしながら、上述したように、第２の放電セル群及び第３走査電極群においては初期化期間において２回目の微弱な初期化放電が書込み動作に適した壁電荷になる前に停止している。そのため、初期化期間が終了した時点においては、第２の放電セル群及び第３走査電極群には第１の放電セル群より十分多い壁電荷が保持されている。したがって、上記の期間において、第２の放電セル群及び第３走査電極群の壁電荷が減少しても、第２の放電セル群及び第３走査電極群にはまだ十分な量の壁電荷が保持されている。
【００８２】
そこで、本実施の形態においては、次に第２の走査電極群に走査パルスＰａを印加する直前に、第１の走査電極群と第２の走査電極群である走査電極ＳＣ１〜ＳＣ２ｎ／３に接地電位から負の電位（−Ｖａｄ＋Ｖｓｅｔ２）に向かって緩やかに下降するランプ波形Ｌ４を印加する。すると、第２の放電セル群において２回目の微弱な初期化放電の続きとも言える第３の初期化放電が起こる。これにより、第２の放電セル群において、走査電極ＳＣｉ上の壁電圧及び維持電極ＳＵｉの壁電圧が弱められ、データ電極Ｄｋ上の壁電圧も書込み動作に適した値に調整される。
【００８３】
このとき、第３の走査電極群（走査電極ＳＣ２ｎ／３＋１〜ＳＣｎ）には、正の接地電位から、ランプ波形Ｌ３と同様に、負の電位（−Ｖａｄ＋Ｖｈｉｚ）に向かって緩やかに下降するランプ波形Ｌ９が印加される。したがって、第３の走査電極群に印加されるランプ波形Ｌ９による初期化放電は発生せず、壁電荷に調整は行われないため、第３の放電セル群にはまだ十分な量の壁電荷が保持されている。
【００８４】
さらに、同様に、第３走査電極群に走査パルスＰａを印加する直前に、走査電極ＳＣ１〜ＳＣｎに接地電位から負の電位（−Ｖａｄ＋Ｖｓｅｔ２）に向かって緩やかに下降するランプ波形Ｌ１０を印加する。すると、第３の放電セル群において２回目の微弱な初期化放電の続きとも言える第４の初期化放電が起こる。これにより、第３の放電セル群において、走査電極ＳＣｉ上の壁電圧及び維持電極ＳＵｉの壁電圧が弱められ、データ電極Ｄｋ上の壁電圧も書込み動作に適した値に調整される。
【００８５】
すなわち、本実施の形態においては、第１ＳＦの初期化期間において第１の放電セル群に属する全ての放電セルの初期化動作（第１の放電セル群の全セル初期化動作）が行われ、第１ＳＦの初期化期間及び書込み期間において、まず第２の放電セル群に属する全ての放電セルの初期化動作（第２の放電セル群の全セル初期化動作）が行われ、最後に第３の放電セル群に属する全ての放電セルの初期化動作（第３の放電セル群の全セル初期化動作）が行われる。
【００８６】
次に第２の放電セル群及び第３の放電セル群の書込み動作について説明する。
【００８７】
第１ＳＦの書込み期間の中間部（上記ランプ波形Ｌ４の印加後）では、維持電極ＳＵ１〜ＳＵｎを再び電位Ｖｅ２に保持し、走査電極ＳＣ１〜ＳＣｎを一旦電位（−Ｖａｄ＋Ｖｓｃｎ）に保持する。次に、第２の走査電極群であるｎ／３＋１行目の走査電極ＳＣｎ／３＋１に負の走査パルスＰａを印加するとともに、データ電極Ｄ１〜Ｄｍのうちｎ／３＋１行目において発光すべき放電セルのデータ電極Ｄｋに正の書込みパルスＰｄを印加する。すると、データ電極Ｄｋと走査電極ＳＣｎ／３＋１との交差部の電圧は、放電開始電圧を超える。それにより、データ電極Ｄｋと走査電極ＳＣｎ／３＋１との間及び維持電極ＳＵｎ／３＋１と走査電極ＳＣｎ／３＋１との間で書込み放電が発生する。その放電セルの走査電極ＳＣｎ／３＋１上に正の壁電荷が蓄積され、維持電極ＳＣｎ／３＋１上に負の壁電荷が蓄積され、データ電極Ｄｋ上にも負の壁電荷が蓄積される。
【００８８】
このようにして、ｎ／３＋１行目において発光すべき放電セルで書込み放電が発生して各電極上に壁電荷を蓄積させる書込み動作が行われる。一方、書込みパルスＰｄが印加されなかったデータ電極Ｄｈと走査電極ＳＣｎ／３＋１との交差部の電圧は放電開始電圧を超えないので、書込み放電は発生しない。
【００８９】
上記ＳＣｎ／３＋１の書込み動作後、続く第２の走査電極群に属する奇数ラインの走査電極ＳＣｎ／３＋３、ＳＣｎ／３＋５、…、ＳＣ２ｎ／３−１まで上記書込み動作を順次行った後、第２の走査電極群に属する偶数ラインの走査電極ＳＣｎ／３＋２、ＳＣｎ／３＋４、…、ＳＣ２ｎ／３までの上記書込み動作を順次行い、第２の放電セル群の書込み動作が完了する。
【００９０】
第２の放電セル群の書込み動作が完了後、第１ＳＦの書込み期間の後部では、上記ランプ波形Ｌ１０による第３の放電セル群の初期化放電を行う。
【００９１】
次に、第３の放電セル群の書込み動作を行うが、第１の放電セル群及び、第２の放電セル群同様、第３の走査電極群に属する奇数ラインの走査電極ＳＣ２ｎ／３＋１、ＳＣ２ｎ／３＋３、ＳＣ２ｎ／３＋５、…、ＳＣｎ−１まで上記書込み動作を順次行った後、第３走査電極群に属する偶数ラインの走査電極ＳＣ２ｎ／３＋２、ＳＣ２ｎ／３＋４、…、ＳＣｎまでの上記書込み動作を順次行い、第３の放電セル群の書込み動作が完了する。
【００９２】
続く維持期間では、維持電極ＳＵ１〜ＳＵｎを接地電位に戻し、走査電極ＳＣ１〜ＳＣｎに維持期間の最初の維持パルスＰｓ（＝Ｖｓｕｓ）を印加する。このとき、書込み期間で書込み放電が発生した放電セルにおいては、走査電極ＳＣｉと維持電極ＳＵｉとの間の電圧は、維持パルスＰｓに走査電極ＳＣｉ上の壁電圧及び維持電極ＳＵｉ上の壁電圧が加算された値となり、放電開始電圧を超える。それにより、走査電極ＳＣｉと維持電極ＳＵｉとの間で維持放電が起こり、放電セルが発光する。その結果、走査電極ＳＣｉ上に負の壁電荷が蓄積され、維持電極ＳＵｉ上に正の壁電荷が蓄積され、データ電極Ｄｋ上に正の壁電荷が蓄積される。
【００９３】
以降同様に、走査電極ＳＣ１〜ＳＣｎと維持電極ＳＵ１〜ＳＵｎとにあらかじめ定められた数の維持パルスＰｓを交互に印加することにより、書込み期間において書込み放電が発生した放電セルでは維持放電が継続して行われる。
【００９４】
維持パルスＰｓの印加後、維持電極ＳＵｉ及びデータ電極Ｄｋを接地電位に保持した状態で、走査電極ＳＣｉにランプ波形Ｌ５を印加する。このランプ波形Ｌ５は、接地電位からの正の電位Ｖｅｒａｓｅに向かって緩やかに上昇する。これにより、維持放電が起こった放電セルにおいて、走査電極ＳＣｉと維持電極ＳＵｉとの間の電圧が放電開始電圧を超え、維持電極ＳＵｉと走査電極ＳＣｉとの間で微弱な消去放電が発生する。
【００９５】
その結果、走査電極ＳＣｉに負の壁電荷が蓄積され、維持電極ＳＵｉに正の壁電荷が蓄積される。このとき、データ電極Ｄｋ上には正の壁電荷が蓄積される。その後、走査電極ＳＣｉを接地電位に戻し、維持期間における維持動作を終了する。
【００９６】
第２ＳＦの初期化期間では、維持電極ＳＵ１〜ＳＵｎを電位Ｖｅ１に保持し、データ電極Ｄ１〜Ｄｍを接地電位に保持し、第１の走査電極群（走査電極ＳＣ１，ＳＣ２，…，ＳＣｎ／３）に接地電位からの負の電位（−Ｖａｄ＋Ｖｓｅｔ３）に向かって緩やかに下降するランプ波形Ｌ６を印加する。すると、第１の放電セル群のうち前のＳＦで（図８では第１ＳＦ）の維持期間で維持放電が起こった放電セルでは微弱な初期化放電が発生する。それにより、第１の放電セル群のうち前のＳＦで維持放電が起こった放電セルにおいて、走査電極ＳＣｉ上の壁電圧及び維持電極ＳＵｉ上の壁電圧が弱められ、データ電極Ｄｋ上の壁電圧も書込み動作に適した値に調整される。
【００９７】
前のＳＦで維持放電が起こらなかった放電セルにおいては、放電が発生することはなく、前のＳＦの初期化期間の終了時における壁電荷の状態がそのままに保たれる。
【００９８】
一方、第２の走査電極群（走査電極ＳＣｎ／３＋１，ＳＣｎ／３＋２，…，ＳＣ２ｎ／３）及び第３の走査電極群（走査電極ＳＣ２ｎ／３＋１〜ＳＣｎ）には、接地電位からの負の電位（−Ｖａｄ＋Ｖｈｉｚ）に向かって緩やかに下降するランプ波形Ｌ７を印加する。このとき、第２の放電セル群及び第３の放電セル群のうち前のＳＦで維持放電が起こった放電セルでは微弱な初期化放電が発生するが、第１の走査電極群に印加されるランプ波形Ｌ６よりも高い電圧に緩やかに向かって下降するため、第２の放電セル群及び第３の放電セル群においては、書込み動作に適した壁電荷に調整される前にランプ波形Ｌ７による初期化放電が終了する。
【００９９】
前のＳＦで維持放電が起こらなかった放電セルにおいては、放電が発生することはなく、前のＳＦの初期化期間の終了時における壁電荷の状態がそのままに保たれる。
【０１００】
したがって、第２の放電セル群及び第３の放電セル群に蓄積されている壁電荷の量は、第１の放電セル群に蓄積されている壁電荷の量に比べて十分に多い。
【０１０１】
第２ＳＦの書込み期間においては、維持電極ＳＵ１〜ＳＵｎ及びデータ電極Ｄ１〜Ｄｍに対して第１ＳＦの書込み期間と同様の駆動波形を供給する。
【０１０２】
この場合、第１ＳＦと同様に、第２ＳＦの書込み期間において第１の走査電極群に走査パルスＰａが印加される期間には、第２の走査電極群及び第３の走査電極群には走査パルスＰａが印加されない。この期間において、第２の放電セル群及び第３の放電セル群の壁電荷は減少する。しかしながら、上述したように、第２の放電セル群及び第３の放電セル群には第２ＳＦの初期化期間終了時に十分な量の壁電荷が保持されている。従って上記の期間においてそれらの放電セルの壁電荷が減少しても、それらの放電セルにはまだ十分な量の壁電荷が保持されている。
【０１０３】
そこで、第２の走査電極群に走査パルスＰａを印加する直前に、第１の走査電極群及び第２の走査電極群である走査電極ＳＣ１〜ＳＣ２ｎ／３に接地電位から負の電位（−Ｖａｄ＋Ｖｓｅｔ４）に向かって緩やかに下降するランプ波形Ｌ８を印加する。すると、第２の放電セル群のうち前のＳＦで維持放電が起こった放電セルにおいて微弱な初期化放電が起こるランプ波形Ｌ７の微弱な初期化放電の続きとも言える初期化放電が起こる。これにより、第２の放電セルのうち前のＳＦで維持放電が起こった放電セルにおいて、走査電極ＳＣｉ上の壁電圧及び維持電極ＳＵｉの壁電圧が弱められ、データ電極Ｄｋ上の壁電圧も書込み動作に適した値に調整される。
【０１０４】
このとき、第３の走査電極群（走査電極ＳＣ２ｎ／３＋１〜ＳＣｎ）には、正の接地電位から、ランプ波形Ｌ７と同様に、負の電位（−Ｖａｄ＋Ｖｈｉｚ）に向かって緩やかに下降するランプ波形Ｌ１１を印加する。
【０１０５】
したがって、第３の走査電極群に印加されるランプ波形Ｌ８による初期化放電は発生せず、壁電荷に調整は行われないため、第３の放電セル群にはまだ十分な量の壁電荷が保持されている。
【０１０６】
さらに、同様に、第３走査電極群に走査パルスＰａを印加する直前に、走査電極ＳＣ１〜ＳＣｎに接地電位から負の電位（−Ｖａｄ＋Ｖｓｅｔ４）に向かって緩やかに下降するランプ波形Ｌ１２を印加する。すると、第３の放電セル群においてランプ波形Ｌ７の微弱な初期化放電の続きとも言える初期化放電が起こる。これにより、第３の放電セル群において、走査電極ＳＣｉ上の壁電圧及び維持電極ＳＵｉの壁電圧が弱められ、データ電極Ｄｋ上の壁電圧も書込み動作に適した値に調整される。
【０１０７】
また、第２ＳＦにおける書込み動作を行う順序も第１ＳＦと同様の順序となる。つまり、第１の走査電極群における奇数ラインの書込み動作を行い、次いで偶数ラインの書込み動作を行う。第１の走査電極群の書込み動作が完了した後、第２の走査電極群における奇数ラインの書込み動作を行い、次いで偶数ラインの書込み動作を行う。最後に第３の走査電極群における奇数ラインの書込み動作を行い、次いで偶数ラインの書込み動作を行い、第２ＳＦの書込み期間を終える。
【０１０８】
なお、第２ＳＦの維持期間においては、第１ＳＦの維持期間と同様に、走査電極ＳＣ１〜ＳＣｎと維持電極ＳＵ１〜ＳＵｎとにあらかじめ定められら数の維持パルスＰｓを交互に印加する。それにより、書込み期間において書込み放電が発生した放電セルで維持放電が行われる。
【０１０９】
また、第３ＳＦ以降のＳＦでは、第１の走査電極群、第２の走査電極群、第３の走査電極群、維持電極ＳＵ１〜ＳＵｎ及びデータ電極Ｄ１〜Ｄｍに対して第２ＳＦと同様の駆動波形を供給する。
【０１１０】
また、書込み動作を行う順序においても、第１ＳＦ及び第２ＳＦと同様の順序となる。つまり、第１の走査電極群における奇数ラインの書込み動作を行い、次いで偶数ラインの書込み動作を行う。第１の走査電極群の書込み動作が完了した後、第２の走査電極群における奇数ラインの書込み動作を行い、次いで偶数ラインの書込み動作を行う。そして最後に第３の走査電極群における奇数ラインの書込み動作を行い、次いで偶数ラインの書込み動作を行い、そのＳＦの書込み期間を終える。
【０１１１】
以上のように、本発明においては、連続する複数の走査電極群を１単位として、第１の走査電極群、第２の走査電極群、第３の走査電極群のように複数単位の走査電極群に分割し、そして各単位の第１の走査電極群、第２の走査電極群、第３の走査電極群は、走査電極に初期化パルスを印加して初期化動作を行い、その後走査電極の奇数ラインまたは偶数ラインのうち一方のラインの書込み動作を行った後、他方のラインの書込み動作を行うように構成し、かつ第１の走査電極群、第２の走査電極群、第３の走査電極群単位に順次初期化動作及び書込み動作を行うように構成したものである。このような構成により、第１の走査電極群に分類された連続する複数の走査電極は、隣接する走査電極間で全て同様の駆動波形となり、また第２の走査電極群及び第３の走査電極群に分類された連続する複数の走査電極も、隣接する走査電極間で同様の駆動波形となり、走査電極駆動回路の構成が複雑化することがない。
【０１１２】
また、上述したように、書込み動作が行われる順番が早い第１の走査電極群は、通常通り初期化放電を経て書込み動作を順次行い、そして書込み動作が行われる順番が遅い第２の走査電極群及び第３の走査電極群は、書込み動作が行われる直前に初期化放電を別途行うように構成する、すなわち走査電極を書込み動作が行われる順番により分割し、初期化放電を行うタイミングが異なる駆動波形を印加することにより、走査パルスが印加される順番が遅い走査電極群においても、初期化放電を行ってから壁電荷が減少する時間が短くなるため、書込み放電不良が発生するのを防止することができる。
【０１１３】
さらに、走査電極を奇数ラインと偶数ラインとに分割し、偶数ラインまたは奇数ラインのうち一方のみに順次書込み動作を行った後、他方のラインの書込み動作を順次行う飛び越し走査によりデータパルスのＯＮ／ＯＦＦの繰り返しはなく、ＯＮもしくはＯＦＦの状態が続き、データドライバーのスイッチング回数が低減され、書込み電力を抑制することができる。
【０１１４】
次に、本発明の他の実施の形態による駆動方法について、図９に示す駆動波形図を用いて説明する。なお、パネルの構成、パネルの電極配列、回路ブロックの構成は、図１〜図３に示したものと同様である。
【０１１５】
本実施の形態においては、走査電極ＳＣ１〜ＳＣｎについて、走査電極ＳＣ１，ＳＣ２，ＳＣ３，…，ＳＣｎ／４を第１の走査電極群、走査電極ＳＣｎ／４＋１，ＳＣｎ／４＋２，ＳＣｎ／４＋３，…，ＳＣｎ／２を第２の走査電極群、走査電極ＳＣｎ／２＋１，ＳＣｎ／２＋２，ＳＣｎ／２＋３，…，ＳＣ３ｎ／４を第３の走査電極群、ＳＣ３ｎ／４＋１，ＳＣ３ｎ／４＋２，ＳＣ３ｎ／４＋３，…，ＳＣｎを第４の走査電極群として分割し、走査電極駆動回路５３は、第１の走査電極群に対して第１の駆動波形を供給し、第２の走査電極群に対して第２の駆動波形し、第３の走査電極群に対して第３の駆動波形を供給し、第４の走査電極群に対して第４の駆動波形を供給するように構成している。また、上記第１の走査電極群により構成される複数の放電セルを第１の放電セル群と称し、上記第２の走査電極群により構成される複数の放電セルを第２の放電セル群と称し、上記第３の走査電極群により構成される複数の放電セルを第３の放電セル群と称し、上記第４の走査電極群により構成される複数の放電セルを第４の放電セル群と称する。
【０１１６】
図９においては、第１の走査電極群の１本の走査電極ＳＣ１、第２の走査電極群の１本の走査電極ＳＣｎ／４＋１、第３の走査電極群の１本の走査電極ＳＣ２ｎ／４＋１、第４の走査電極群の１本の走査電極ＳＣ３ｎ／４＋１、維持電極ＳＵ１〜ＳＵｎ、及びデータ電極Ｄ１〜Ｄｍの駆動波形を示している。なお、図９には、１フィールドの第１ＳＦの初期化期間から第２ＳＦの維持期間までを示し、各放電については、上記図４、図８に示す実施の形態と同様な挙動を示す。
【０１１７】
そして、本実施の形態における書込み動作を行う順序は、まず第１の走査電極群における奇数ラインの書込み動作を行い、次いで偶数ラインの書込み動作を行う。続いて、同様に第２の走査電極群、第３の走査電極群、第４の走査電極群の各走査電極群において飛び越し走査による書込み動作を行い、各ＳＦの書込み期間を終える。
【０１１８】
以上のように本実施の形態においても、上記実施の形態と同様な作用効果を得ることができる。
【０１１９】
なお、上記実施の形態においては、走査電極を２分割、３分割、４分割する例を示したが、走査電極駆動回路５３のドライバ回路ごとに複数の走査電極群を１単位として複数単位に分割した構成としてもよい。
【産業上の利用可能性】
【０１２０】
以上のように本発明のプラズマディスプレイパネルの駆動方法によれば、プラズマディスプレイ装置の低消費電力化及び動作の安定化を図る上で有用な発明である。
【図面の簡単な説明】
【０１２１】
【図１】本発明の実施の形態に係るプラズマディスプレイ装置におけるプラズマディプレイパネルの一部を示す分解斜視図
【図２】同プラズマディスプレイパネルの電極配列図
【図３】同プラズマディスプレイ装置の回路ブロック図
【図４】本発明によるプラズマディスプレイパネルの駆動方法を説明するための駆動波形図
【図５】データ電力の消費が高い表示パターン例を示す図
【図６】図５の表示パターンにおける単純な駆動方法による１つのＳＦの駆動波形図
【図７】図５の表示パターンにおける飛び越し走査による１つのＳＦの駆動波形図
【図８】本発明の他の実施の形態に係る駆動方法を説明するための駆動波形図
【図９】本発明の他の実施の形態に係る駆動方法を説明するための駆動波形図
【符号の説明】
【０１２２】
１０  プラズマディスプレイパネル
５２  データ電極駆動回路
５３  走査電極駆動回路
５４  維持電極駆動回路
５５  タイミング発生回路
Ｄ１〜Ｄｍ，Ｄｊ  データ電極
ＤＣ  放電セル
Ｌ１〜Ｌ１６  ランプ波形
Ｐａ  走査パルス
Ｐｄ  データパルス
Ｐｓ  維持パルス
ＳＣ１〜ＳＣｎ，ＳＣｉ  走査電極
ＳＵ１〜ＳＵｎ，ＳＵｉ  維持電極
【図１】
2009192590.tif 000003
【図２】
2009192590.tif 000004
【図３】
2009192590.tif 000005
【図４】
2009192590.tif 000006
【図５】
2009192590.tif 000007
【図６】
2009192590.tif 000008
【図７】
2009192590.tif 000009
【図８】
2009192590.tif 000010
【図９】
2009192590.tif 000011